(57)【要約】【課題】接続されるワイヤーハーネスの配索経路や周辺環境に応じてコネクタの位置を移動させることができるスイッチ装置を提供する。【解決手段】スイッチ装置１は、ケース７と、ケース内に配されたスイッチ９と、コネクタ１１と、を備え、コネクタは、ケースの外側面に沿ってスライド可能に取り付けられ、コネクタには係合部２３が備えられ、ケースの側壁には、係合部と係合可能な被係合部２５が複数箇所設けられており、係合部が、いずれかの被係合部と係合することで、コネクタとスイッチとが電気的に接続されることを特徴とする。【選択図】図３
2014137981.tif 000002
【特許請求の範囲】
【請求項１】
ケースと、
前記ケース内に配されたスイッチと、
コネクタと、を備え、
前記コネクタは、前記ケースの外側面に沿ってスライド可能に取り付けられ、
前記コネクタには係合部が備えられ、
前記ケースの側壁には、前記係合部と係合可能な被係合部が複数箇所設けられており、
前記係合部が、いずれかの前記被係合部と係合することで、前記コネクタと前記スイッチとが電気的に接続されることを特徴とするスイッチ装置。
【請求項２】
前記コネクタの背面からは導電体が突出しており、
前記ケースの側壁には、スリットが形成され、
前記導電体は、前記スリットを貫通して前記ケースの内部まで進出している請求項１に記載のスイッチ装置。
【請求項３】
前記ケースの側壁には、前記スリットに沿うように凹部が形成され、
前記コネクタは、前記凹部に嵌るような形態で、前記ケースの外側面に沿ってスライド可能に取り付けられている請求項２に記載のスイッチ装置。
【発明の詳細な説明】
【技術分野】
【０００１】
本発明は、スイッチ装置に関する。更に詳しくは、接続されるワイヤーハーネスの配索経路や周辺環境に応じてコネクタの位置を移動させることができるスイッチ装置に関する。
【背景技術】
【０００２】
従来、車両用機器には種々のスイッチ装置が用いられている。例えば、特許文献１に示すスイッチ装置は、車両用電動シートの前後へのスライドや座面の高さ、背もたれの傾き等の構成部位の位置をコントロールするためのスイッチ装置である。このようなスイッチ装置では、電源供給や外部との制御信号の送受信を行うためのワイヤーハーネスが接続されている。ワイヤーハーネスは、通常、スイッチ装置に備えられたコネクタに接続される。
【先行技術文献】
【特許文献】
【０００３】
【特許文献１】特開２００４−２８８３９３号公報
【発明の概要】
【発明が解決しようとする課題】
【０００４】
上記特許文献１のスイッチ装置の場合、コネクタは、スイッチ装置のケース部材に固定的に設けられている。このため、コネクタにワイヤーハーネスを接続する際の接続方向も限定的になり、ワイヤーハーネスの取り回し、配索経路に影響を及ぼす恐れがあった。
【０００５】
また、近年の自動車業界では、異なる車種、グレード、メーカー間における部品の共通化が進められている。この場合、共通化された部品であっても、車両への配設位置等の搭載要件が異なっており、当該部品の周辺環境や接続される部品の搭載要件等も異なる。このような異なる搭載要件に対応できるスイッチ装置が望まれていた。
【０００６】
本発明は、上記実情に鑑みてなされたものであり、接続されるワイヤーハーネスの配索経路や周辺環境に応じてコネクタの位置を移動させることができるスイッチ装置を提供することを目的とする。
【課題を解決するための手段】
【０００７】
上記問題点を解決するために、請求項１に記載の発明は、スイッチ装置であって、
ケースと、
前記ケース内に配されたスイッチと、
コネクタと、を備え、
前記コネクタは、前記ケースの外側面に沿ってスライド可能に取り付けられ、
前記コネクタには係合部が備えられ、
前記ケースの側壁には、前記係合部と係合可能な被係合部が複数箇所設けられており、
前記係合部が、いずれかの前記被係合部と係合することで、前記コネクタと前記スイッチとが電気的に接続されることを要旨とする。
【０００８】
請求項２に記載の発明は、請求項１において、前記コネクタの背面からは導電体が突出しており、前記ケースの側壁には、スリットが形成され、前記導電体は、前記スリットを貫通して前記ケースの内部まで進出していることを要旨とする。
【０００９】
請求項３に記載の発明は、請求項２において、前記ケースの側壁には、前記スリットに沿うように凹部が形成され、前記コネクタは、前記凹部に嵌るような形態で、前記ケースの外側面に沿ってスライド可能に取り付けられていることを要旨とする。
【発明の効果】
【００１０】
本発明のスイッチ装置によると、ケースと、このケース内に配されたスイッチと、コネクタと、を備え、コネクタは、ケースの外側面に沿ってスライド可能に取り付けられている。また、コネクタには係合部が備えられ、ケースの側壁には、係合部と係合可能な被係合部が複数箇所設けられており、係合部が、いずれかの被係合部と係合することで、コネクタとスイッチとが電気的に接続される。このような構成により、接続されるワイヤーハーネスの配索経路や周辺環境に応じてコネクタの位置を移動させることができる。
【００１１】
また、コネクタの背面からは導電体が突出しており、ケースの側壁には、スリットが形成され、導電体は、スリットを貫通してケースの内部まで進出している場合には、以下の効果を奏する。すなわち、ケース外に配されたコネクタと、ケース内に配されたスイッチと、を簡易な構成で電気的に接続することができる。
【００１２】
更に、ケースの側壁には、スリットに沿うように凹部が形成され、コネクタは、凹部に嵌るような形態で、ケースの外側面に沿ってスライド可能に取り付けられている場合は、コネクタの確実なスライドを実現できる。
【図面の簡単な説明】
【００１３】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るスイッチ装置の配設例を示す側面図である。
【図２】実施例に係るスイッチ装置の配設例を示す拡大斜視図である。
【図３】実施例に係るスイッチ装置を示す斜視図である。
【図４】実施例に係るスイッチ装置を示す側面図である。
【図５】実施例に係るスイッチ装置を示す縦断面図である。
【図６】実施例に係るコネクタ及びスイッチ側端子を説明するための説明図である。
【図７】実施例に係る導電体を示す側面図である。
【図８】実施例に係る導電体とスイッチ側端子とが導通した状態を説明するための説明図である。
【図９】実施例に係るスイッチ装置の作用を説明するための説明図である。
【図１０】実施例に係るスイッチ装置の作用を説明するための説明図である。
【図１１】実施例に係るスイッチ装置の作用を説明するための説明図である。
【図１２】実施例に係るスイッチ装置の作用を説明するための説明図である。
【発明を実施するための形態】
【００１４】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１５】
本実施形態に係るスイッチ装置（１）は、ケース（７）と、ケース内に配されたスイッチ（９）と、コネクタ（１１）と、を備えている。コネクタは、ケースの外側面に沿ってスライド可能に取り付けられている。コネクタには係合部（２３）が備えられ、ケースの側壁には係合部と係合可能な被係合部（２５）が複数箇所設けられている。そして、係合部が、いずれかの被係合部と係合することで、コネクタとスイッチとが電気的に接続される。
なお、スイッチ装置は、電動シート、パワーウィンドウ、サンルーフ、空調機器、オーディオ機器等の車両用機器を操作するためのスイッチ装置等であることができる。
【００１６】
上記ケースの形状、大きさ、材質等は、特に問わない。ケースは、通常、その内に空間が形成されている。この空間には、上記スイッチの他、基板（１７）や、各種電子部品が収容されていることができる。
【００１７】
上記スイッチの構成、種類等は特に問わない。スイッチは、通常、上記ケース内に配されるが、このスイッチを操作するための操作ノブ（２１）は、上記ケースの外側に露出している形態とされている。また、スイッチは、例えば、上記ケース内に配された基板上に実装されている形態であることができる（例えば、図５等参照）。
【００１８】
また、スイッチは、例えば、スイッチ側端子（１９）を備えることができる（例えば、図５、図６等参照）。このスイッチ側端子の形状、大きさ等は特に問わない。スイッチ側端子は、上記スイッチから直接延びる端子であってもよいし、スイッチとは別体に設けられ、配線や基板の配線パターン等により上記スイッチと電気的に接続された端子であってもよい。スイッチ側端子は、通常、複数箇所設けられた被係合部に応じて複数設けられ、コネクタをスライドさせ、係合部と任意の被係合部とを係合させたときには、いずれかのスイッチ側端子がコネクタと導通し、コネクタとスイッチとが電気的に接続されるようになっている。スイッチ側端子は、例えば、上記基板が配されている場合には、この基板上に実装されていることができる。
【００１９】
上記コネクタの構成、種類等は特に問わない。コネクタは、例えば、端子と、端子が収容されるハウジングと、を備えていることができる（例えば、図６等参照）。この場合、上記係合部は、ハウジングの外側面に形成されていることができる。
上記係合部の形状、大きさ、個数等は特に問わない。係合部は、例えば、凸状（例えば、図４、図６等参照）、凹状等の形状であることができる。上記被係合部は、上記係合部と係合可能であればよい。
【００２０】
本実施形態に係るスイッチ装置としては、例えば、コネクタの背面からは導電体（３１）が突出しており、ケースの側壁には、スリット（１３）が形成され、導電体は、スリットを貫通してケースの内部まで進出している形態を挙げることができる。
上述の場合、導電体は、例えば、コネクタの端子と電気的に導通しており、コネクタの係合部がケース側壁の被係合部と係合したときに、上記スイッチ側端子と接触して導通する形態であることができる。この場合、例えば、導電体には、スイッチ側端子と導通したときに当該端子と接触する突起部（３３）が形成されていることができる（例えば、図７等参照）。
また、上述の場合、スイッチ側端子の形態としては、例えば、上記係合部と上記被係合部とを係合させたときに、上記導電体が嵌り込むように開口した断面略Ｕ字形状をなす形態を挙げることができる（例えば、図６等参照）。
【００２１】
本実施形態に係るスイッチ装置としては、例えば、ケースの側壁には、スリットに沿うように凹部（１５）が形成され、コネクタは、凹部に嵌るような形態で、ケースの外側面に沿ってスライド可能に取り付けられている形態を挙げることができる（例えば、図３〜図５等参照）。このコネクタのスライドは、ケースの外側面全周に渡ってのスライドであってもよいし、ケース外側面半周、ケース外側面のうちの１面のみ等、部分的なものであってもよい。
【実施例】
【００２２】
以下、図面を用いて、実施例により本発明を更に具体的に説明する。なお、本実施例では、車両用電動シートの各部の操作に用いられるスイッチ装置を例示する。
（１）スイッチ装置の構成
本実施例に係るスイッチ装置１は、図１及び図２に示すように、車両のシート３の側面のシールド５に配設されている。シート３は、各部を電動でコントロールできるようになっており、スイッチ装置１はそれらの操作に用いられるスイッチ装置である。
【００２３】
図３〜５に示すように、スイッチ装置１は、ケース７と、スイッチ９と、コネクタ１１と、を備えている。ケース７は樹脂製であり、スイッチ９はこのケース７内に配されている。
本実施例において、ケース７の側壁にはスリット１３が形成されているとともに、このスリット１３に沿うように凹部１５が形成されている。スリット１３及び凹部１５は、ケース７の側壁の全周に渡って形成されている。また、本実施例においては、スリット１３は、可撓性を有する防塵カバーで覆われている。防塵カバーは、通常状態では閉じられており、導電体３１がスリット１３を貫通する部分では、導電体３１により押し開かれている。また、ケース７内には基板１７が配されている。スイッチ９はこの基板１７に実装されている。
【００２４】
また、基板１７には、スイッチ９と導通するスイッチ側端子１９が実装されている。スイッチ側端子１９は、図６に示すように断面略Ｕ字形状をなしている。
スイッチ９は操作ノブ２１を有している。この操作ノブ２１は、ケース７の外側に露出して設けられている。また、操作ノブ２１はスイッチ９に着脱自在に設けられており、スイッチ装置１をシールド５に取り付けた状態において、シールド５を挟んでシールド５の正面側に露出するようにとりつけられる。
【００２５】
コネクタ１１は、ケース７の外側面に沿ってスライド可能に取り付けられている。本実施例において、コネクタ１１は、ケース７の凹部１５に嵌るような形態で、ケース７の外側面に沿ってスライド可能に取り付けられている。また、コネクタ１１には、係合部２３が備えられている。係合部２３は、ケース７の側壁に複数箇所設けられた被係合部２５と係合可能とされている。本実施例において、係合部２３は凸状に形成されているとともに、被係合部２５は凹状に形成されている。被係合部２５は、コネクタ１１のスライドする方向に沿って複数箇所設けられている。そして、係合部２３が、いずれかの被係合部２５と係合することで、コネクタ１１とスイッチ９とが電気的に接続される。
【００２６】
本実施例において、コネクタ１１は、図６に示すように、端子２７と、端子２７が収容されるハウジング２９と、を備えている。また、コネクタ１１は、背面から突出した導電体３１を有している。端子２７と導電体３１とは一体的に形成されている。端子２７及び導電体３１は、端子２７の先端側からコネクタ１１の背面となるハウジング２９に挿入されることにより、端子２７の先端側がハウジング２９を貫通して正面側に露出するとともに、導電体３１がハウジング２９の背面から突出するように設けられている。導電体３１は、図５に示すように、ケース７側壁のスリット１３を貫通してケース７の内部まで進出している。また、導電体３１は、図７に示すように、クランク状に屈曲して形成されているとともに、その先端側に凸状の接点部３３が形成されている。
【００２７】
また、本実施例において、コネクタ１１とスイッチ９との電気的接続は、係合部２３と被係合部２５とを係合させることにより、コネクタ１１の導電体３１が、Ｕ字形状をなすスイッチ側端子１９に嵌り込み、接点部３３がスイッチ側端子１９に接触することによってなされる。図８に示すように、導電体３１は、係合部２３及び被係合部２５の係合状態において、導電体３１自体の弾性により、所定の押圧力でスイッチ側端子１９を押圧した状態で、スイッチ側端子１９と接触するようになっている。スイッチ側端子１９は、複数設けられた被係合部２５に応じて複数設けられており、コネクタ１１をスライドさせ、係合部２３と任意の被係合部２５とを係合させたときには、いずれかのスイッチ側端子１９がコネクタ１１の導電体３１と導通し、コネクタ１１とスイッチ９とが電気的に接続されるようになっている。
【００２８】
（２）スイッチ装置の作用
次に、上記構成のスイッチ装置１の作用について説明する。
コネクタ１１をスライド移動させるに際して、最初に、図９に示すように、コネクタ１１の係合部２３とケース７の被係合部２５との係合を解除した状態にする。これにより、図１０に示すように、スイッチ側端子１９と導電体３１との係合も解除され、コネクタ１１とスイッチ９とは電気的に接続されていない状態となる。また、これにより、コネクタ１１をケース７の外側面に沿ってスライドさせることが可能となる。
【００２９】
次に、コネクタ１１を、接続されるワイヤーハーネスの配索経路や、スイッチ装置１の周辺環境等を考慮して、所望の位置へスライドさせる。このとき、コネクタ１１が凹部１５に嵌っていることから、コネクタ１１はケース７の外側面を凹部１５に沿って確実にスライドする。また、このスライドでは、図１１に示すように、コネクタ１１の係合部２３が、複数箇所設けられた被係合部２５のうちの所望の箇所の被係合部２５に合うように、コネクタ１１をスライドさせる。
【００３０】
コネクタ１１を所望の位置にスライドさせたら、図１２に示すように、その位置の被係合部２５とコネクタ１１の係合部２３とを係合させるようにコネクタ１１を押し込む。この被係合部２５と係合部２３との係合により、コネクタ１１の導電体３１とスイッチ側端子１９とが導通し、スイッチ９とコネクタ１１とが電気的に接続される。また、この状態では、図８に示すように、導電体３１に形成された接点部３３がスイッチ側端子１９と接触しているとともに、導電体３１は、導電体３１自体の弾性により、スイッチ側端子１９に押圧された状態となっている。これにより、コネクタ１１とスイッチ９との確実な電気的接続が確保されている。
【００３１】
（３）実施例の効果
以上より、本実施例のスイッチ装置１では、ケース７と、このケース７内に配されたスイッチ９と、コネクタ１１と、を備え、コネクタ１１は、ケース７の外側面に沿ってスライド可能に取り付けられている。また、コネクタ１１には係合部２３が備えられ、ケース７の側壁には、係合部２３と係合可能な被係合部２５が複数箇所設けられており、係合部２３が、いずれかの被係合部２５と係合することで、コネクタ１１とスイッチ９とが電気的に接続される。このような構成により、コネクタの位置を容易に移動させることができる。従って、接続されるワイヤーハーネスの配索経路や周辺環境等に応じた好適な位置へのコネクタの配置を実現できる。
【００３２】
また、本実施例では、コネクタ１１の背面からは、導電体３１が突出しており、ケース７の側壁には、スリット１３が形成され、導電体３１は、スリット１３を貫通してケース７の内部まで進出しているので、ケース７の外側に配されたコネクタ１１と、ケース７内に配されたスイッチ９と、を簡易な構成で電気的に接続することができる。
【００３３】
更に、本実施例では、ケース７の側壁には、スリット１３に沿うように凹部１５が形成され、コネクタ１１は、凹部１５に嵌るような形態で、ケース７の外側面に沿ってスライド可能に取り付けられているので、コネクタ１１の確実なスライドを実現できる。
【００３４】
また、本実施例では、スイッチ９と導通するスイッチ側端子１９を設け、このスイッチ側端子１９を、導電体３１が嵌り込むように断面略Ｕ字形状としたので、導電体３１とスイッチ側端子１９とを確実に接触させることができる。
【００３５】
更に、本実施例では、導電体３１は、クランク状に屈曲して形成されており、係合部２３及び被係合部２５の係合状態において、導電体３１自体の弾性により、所定の押圧力でスイッチ側端子１９を押圧した状態で、スイッチ側端子１９と接触するようにしたので、導電体３１とスイッチ側端子１９とをより確実に接触させることができる。
【００３６】
また、本実施例では、導電体３１の先端側に、スイッチ側端子１９と接触する接点部３３を設けるようにしたので、導電体３１とスイッチ側端子１９との電気的接続をより一層確実なものとすることができる。
【００３７】
尚、本発明においては、上記の具体的な実施例に示すものに限られず、目的、用途に応じて本発明の範囲内で種々変更した実施例とすることができる。即ち、上記実施例では、導電体３１をクランク状に屈曲させて形成するようにしたが、これに限定されず、例えば、導電体３１を直線状に形成するようにしたり、湾曲させて形成するようにしたりしてもよい。
【００３８】
また、上記実施例では、導電体３１の先端側に凸状の接点部３３を設けるようにしたが、これに限定されず、例えば、接点部３３を設けず、導電体の表面がスイッチ側端子１９に直接接触するような形態としてもよい。
【００３９】
更に、上記実施例では、スイッチ側端子１９を断面略Ｕ字形状としたが、これに限定されず、例えば、平板状のスイッチ側端子としてもよい。
【００４０】
また、上記実施例では、係合部２３を凸状に形成するとともに、被係合部２５を凹状に形成するようにしたが、これに限定されず、例えば、係合部を凹状、被係合部を凸状に形成するようにしてもよい。
【００４１】
更に、上記実施例では、ケースの側壁に、コネクタ１１が嵌る凹部１５を形成するようにしたが、これに限定されず、例えば、凹部１５を形成しない形態としてもよい。
【００４２】
また、上記実施例では、コネクタ１１はケース７の外側面の全周をスライド可能としたが、これに限定されず、例えば、ケースの外周面を部分的にスライド可能な形態であってもよい。
【００４３】
更に、上記実施例では、ケース７内に基板１７を配し、この基板１７上にスイッチ９を実装するようにしたが、これに限定されず、例えば、基板を設けず、スイッチを含む電子部品が配線やバスバー等により電気的に接続されている形態であってもよい。
【００４４】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４５】
本発明は上記で詳述した実施形態に限定されず、本発明の請求項に示した範囲で様々な変形または変更が可能である。
【符号の説明】
【００４６】
１；スイッチ装置、３；シート、５；シールド、７；ケース、９；スイッチ、１１；コネクタ、１３；スリット、１５；凹部、１７；基板、１９；スイッチ側端子、２１；操作ノブ、２３；係合部、２５；被係合部、２７；端子、２９；ハウジング、３１；導電体、３３；接点部。
【図１】
2014137981.tif 000003
【図２】
2014137981.tif 000004
【図３】
2014137981.tif 000005
【図４】
2014137981.tif 000006
【図５】
2014137981.tif 000007
【図６】
2014137981.tif 000008
【図７】
2014137981.tif 000009
【図８】
2014137981.tif 000010
【図９】
2014137981.tif 000011
【図１０】
2014137981.tif 000012
【図１１】
2014137981.tif 000013
【図１２】
2014137981.tif 000014